(57)【要約】      （修正有）【課題】サービス取引において、適切な本人認証を行うＩＣカードシステムを提供する。【解決手段】ＩＣタグを含み、個人情報及び生体認証データを格納するＩＣ顧客カード・サービス提供者ＩＣカードと、ＩＣタグリーダ１１、ＩＣカードリーダ１３及び生体認証装置１２を備えたＩＣカード端末１０と、それを周辺機器として接続するパーソナルコンピュータ２０とからなり、サービス提供を必要とする際に、顧客の生体認証処理と、サービス提供者の生体認証処理とを実行し、これらがいずれも肯定結果であることを条件に、個人情報を開示する。【選択図】図１
0003143328.tif 000002
【実用新案登録請求の範囲】
【請求項１】
ＩＣタグを含み、サービス提供を受ける顧客の個人情報及び生体認証データを格納するＩＣ顧客カードと、
ＩＣタグを含み、サービス提供をするサービス提供者の個人情報及び生体認証データを格納するサービス提供者ＩＣカードと、
前記ＩＣタグを読み取るＩＣタグリーダ、前記ＩＣ顧客カード・サービス提供者ＩＣカードを読み取るＩＣカードリーダ及び生体認証装置を備えたＩＣカード端末と、
前記ＩＣカード端末を周辺機器として接続するサービス提供者用パーソナルコンピュータと
からなり、サービス提供を必要とする際に、前記ＩＣ顧客カードを所持する顧客の生体認証処理と、前記サービス提供者ＩＣカードを所持するサービス提供者の生体認証処理とを実行し、これら二種類の生体認証処理がいずれも肯定結果であることを条件に、サービス提供者に対してサービスを受ける顧客の個人情報を開示することを特徴とするＩＣカードシステム。
【請求項２】
請求項１記載のＩＣカードシステムであって、
前記サービス提供が医業における診察であり、
前記顧客が患者であり、
前記サービス提供者が診察をする医療従事者であることを特徴とするＩＣカードシステム。
【請求項３】
請求項１又は２のいずれか一に記載のＩＣカードシステムであって、
前記ＩＣ顧客カード・前記サービス提供者ＩＣカードに格納される生体認証データは、生体から取得した元データから所定の規則により抽出した結果のデータであることを特徴とするＩＣカードシステム。
【請求項４】
請求項１又は２のいずれか一に記載のＩＣカードシステムであって、
前記二種類の生体認証処理がいずれも肯定結果であることを条件に、サービス提供者に対して開示する、サービスを受ける顧客の個人情報は、前記ＩＣ顧客カード内のＩＣタグに格納された顧客の個人情報であることを特徴とするＩＣカードシステム。
【請求項５】
請求項１又は２のいずれか一に記載のＩＣカードシステムであって、
前記二種類の生体認証処理がいずれも肯定結果であることを条件に、サービス提供者に対して開示する、サービスを受ける顧客の個人情報は、前記サービス提供者用パーソナルコンピュータ内に格納された顧客の個人情報であることを特徴とするＩＣカードシステム。
【請求項６】
請求項１又は２のいずれか一に記載のＩＣカードシステムであって、
前記二種類の生体認証処理がいずれも肯定結果であることを条件に、サービス提供者に対して開示する、サービスを受ける顧客の個人情報は、前記サービス提供者用パーソナルコンピュータに、ネットワーク接続された外部機器に格納された顧客の個人情報であることを特徴とするＩＣカードシステム。
【考案の詳細な説明】
【技術分野】
【０００１】
本考案は、医業を含むサービス取引に際して、サービスを提供する側とサービスを受ける側との双方の本人確認をするＩＣカードシステムに関する。
【背景技術】
【０００２】
特許文献１には、処方の内容、医療従事者の名前、医薬品、患者の名前をバーコードで読み取り、医療情報を管理するシステムが開示されている。
【０００３】
特許文献２には、被診療者の持つ診察券と投与薬品、カルテ、医療処置内容などに対してそれぞれ固有のＩＤを持つ無線ＩＤチップを付与する医療情報管理システムが開示されている。
【０００４】
特許文献３には、薬品に関する情報を管理するサーバと、薬品容器に備えられた非接触ＩＣタグと、通信回線を介してサーバに接続された複数の通信端末とにより、薬品に関する情報の管理を行う薬品情報管理システムが開示されている。非接触ＩＣタグは、薬品容器に入った薬品を識別する薬品識別データが記憶された記憶手段を有している。複数の通信端末は、それぞれ非接触ＩＣタグの記憶手段に記憶された薬品識別データを読み取るアンテナと、薬品識別データをサーバに送信するとともにサーバから情報を受信する送受信手段とを有している。サーバは、通信端末から受信した薬品識別データに基づいて薬品の在庫情報を登録する薬品情報データベースを有している。
また、特許文献３には、病院に設置された通信端末に、カルテカードの記憶手段に記憶された処方箋のデータを読み取る読取手段と、非接触ＩＣタグの記憶手段に記憶された薬品を識別する薬品識別データを読み取るアンテナと、読取手段で読み取った処方箋のデータとアンテナで読み取った薬品を識別する薬品識別データとを照合し、薬品が処方箋で示された薬品に該当するか否かを判定する照合判定手段とを有するシステムが開示されている。
【０００５】
特許文献４には、内部回路をシールドする導電層を内蔵する電話機筐体に、識別情報を保持し、その識別情報を非接触で読み取り可能なＩＣタグを取付けたＩＣタグ付き携帯電話が開示されている。
【０００６】
特許文献５には、入庫する医療品の情報が記録されたＩＣタグを読み取るＩＣタグ読取端末と、出庫する医療品のＩＣタグに対して読み書きする第一のＩＣタグ読取
書込端末と、患者又は医療従事者の情報が記憶されたカードに対して読み書きするカード読取・書込端末と、患者に施療する医療品のＩＣタグに対して読み書きする第二のＩＣタグ読取・書込端末と、カード読取・書込端末及び第二のＩＣタグ読取・書込端末から発信される情報を受信するオーダサーバと、ＩＣタグ読取端末、第一のＩＣタグ読取・書込端末及びオーダサーバから発信される情報を受信し、在庫数を集計するＳＰＤ（サプライプロセッシング＆ディストリビューション）サーバとを有する医療情報管理システムが開示されている。
【０００７】
特許文献６には、ＩＣタグを用いた医科材料の物流システム及び診察システムが開示されている。医科材料又はＩＣ診察カードに設けられたＩＣタグに対して読み取り及び／又は書き込みを行うＩＣタグリーダ・ライタを備えた携帯端末と、サーバとがインターネットを利用する通信回線網を介して通信自在に接続される医科材料の物流システム及び診察システムであって、前記携帯端末は、ＩＣタグを読み取ったＩＣタグリーダ・ライタからのＩＣタグ内データを受信するＩＣタグ内データ受信手段と、該ＩＣタグ内データと関連するサーバデータを要求すべくデータ要求信号を送信するサーバデータ要求送信手段を備えている。
【０００８】
特許文献７には、ＩＣタグの読取機能を備えるＩＣタグリーダチップと、それに接続されるＩＣタグ用通信アンテナとを備えるＩＣタグリーダを携帯電話機本体内に内蔵するＩＣタグリーダ内蔵携帯電話が開示されている。ＩＣタグリーダは、携帯電話本体内の電源により電源が供給され、携帯電話本体内に搭載されるＩＣタグ専用読取りアプリケーションプログラムにより作動し、携帯電話本体の表示部に読取り結果を表示する。ＩＣタグリーダは、折り畳み式携帯電話本体の折り畳み時に於ける前面部に取付けられる。
【０００９】
【特許文献１】特開２００１−１５５０９８号公報
【特許文献２】特再Ｗ００１／０６９５１０号公報
【特許文献３】特開２００３−９５４４０号公報
【特許文献４】特開２００３−４６６２７号公報
【特許文献５】特開２００６−２１５６５２号公報
【特許文献６】特開２００７−１３３６３５号公報
【特許文献７】実登３１３３０８４号公報
【考案の開示】
【考案が解決しようとする課題】
【００１０】
近年、ＩＣタグの利用がさまざまな分野において模索されてきている。医療分野をはじめとする取引分野においては、適切なものをまちがいなく必要な時と場所に供給すべくＩＣタグの必要性が期待されている。
【００１１】
しかし、本発明の考案者は、ＩＣタグの利用が物流の観点から議論されることが多いことに気づいた。医薬品などの流れが適切に行われたとしても、それを投与する相手である人間である患者、医療従事者の取り違えがあると、重大な医療ミスにつながるおそれがある。
【００１２】
また、金融機関の取引などに近時、静脈パターンを用いた生体認証が用いられることがある。しかし、人間対機械の取引ならば、顧客側だけの認証で足りるかもしれないが、人間対人間の生身の身体の取引ならば、双方の認証をしなければ、片手落ちではないかと、本考案の考案者は、気づいた。
【００１３】
本考案の目的は、サービス取引において適切な本人認証を行うシステムを提供することにある。
【課題を解決するための手段】
【００１４】
上記課題を解決するために、請求項１に記載した考案はＩＣタグを含み、サービス提供を受ける顧客の個人情報及び生体認証データを格納するＩＣ顧客カードと、ＩＣタグを含み、サービス提供をするサービス提供者の個人情報及び生体認証データを格納するサービス提供者ＩＣカードと、前記ＩＣタグを読み取るＩＣタグリーダ、前記ＩＣ顧客カード・サービス提供者ＩＣカードを読み取るＩＣカードリーダ及び生体認証装置を備えたＩＣカード端末と、前記ＩＣカード端末を周辺機器として接続するサービス提供者用パーソナルコンピュータとからなり、サービス提供を必要とする際に、前記ＩＣ顧客カードを所持する顧客の生体認証処理と、前記サービス提供者ＩＣカードを所持するサービス提供者の生体認証処理とを実行し、これら二種類の生体認証処理がいずれも肯定結果であることを条件に、サービス提供者に対してサービスを受ける顧客の個人情報を開示するものである。
【００１５】
請求項２に記載した考案は、請求項１記載のＩＣカードシステムであって、前記サービス提供が医業における診察であり、前記顧客が患者であり、前記サービス提供者が診察をする医療従事者であるものである。
【００１６】
請求項３に記載した考案は、請求項１又は２のいずれか一に記載のＩＣカードシステムであって、前記ＩＣ顧客カード・前記サービス提供者ＩＣカードに格納される生体認証データは、生体から取得した元データから所定の規則により抽出した結果のデータであるものである。
【００１７】
請求項４に記載した考案は、請求項１又は２のいずれか一に記載のＩＣカードシステムであって、前記二種類の生体認証処理がいずれも肯定結果であることを条件に、サービス提供者に対して開示する、サービスを受ける顧客の個人情報は、前記ＩＣ顧客カード内のＩＣタグに格納された顧客の個人情報であるものである。
【００１８】
請求項５に記載した考案は、請求項１又は２のいずれか一に記載のＩＣカードシステムであって、前記二種類の生体認証処理がいずれも肯定結果であることを条件に、サービス提供者に対して開示する、サービスを受ける顧客の個人情報は、前記サービス提供者用パーソナルコンピュータ内に格納された顧客の個人情報であるものである。
【００１９】
請求項６に記載した考案は、請求項１又は２のいずれか一に記載のＩＣカードシステムであって、前記二種類の生体認証処理がいずれも肯定結果であることを条件に、サービス提供者に対して開示する、サービスを受ける顧客の個人情報は、前記サービス提供者用パーソナルコンピュータに、ネットワーク接続された外部機器に格納された顧客の個人情報であるものである。
【考案の効果】
【００２０】
本考案のＩＣカードシステムによれば、顧客の側もサービス提供者の側も安心して取引ができる本人認証が可能となる。
【００２１】
特に、医業、診察行為において適用する場合には、患者の取り違え、医者の取り違えを防止でき、患者と医者との間の信頼関係を構築することが可能となる。
【００２２】
ＩＣカードに格納する生体認証データを、生体から取得したままのもとのデータを用いずに、もとのデータから所定の規則により抽出した結果を用いることにより、本人のなりすまし、詐欺、偽造などをしづらくする。
【００２３】
本人認証がいずれも肯定結果である場合に、アクセスできる情報がＩＣ顧客カード内のＩＣタグに格納された情報とすることにより、顧客にとってわかりやすい操作となる。ＩＣカード端末には、ＩＣタグリーダ・ライタとＩＣカードリーダ・ライタとを分離して設けてあり、ファンクションスイッチをもって切り替えて用いることが明確であるから、ＩＣタグ、ＩＣカードのいずれにアクセスしているかが明確だからである。
【００２４】
本人認証がいずれも肯定結果である場合に、アクセスできる情報がパソコン内又はネットワーク接続された外部機器に格納された情報とする場合には、そのパソコンの表示画面をその顧客にも見せることにより、顧客にとってわかりやすい操作となる。その顧客の個人情報にアクセスしようとしたときに、ブロックがかかり、本人認証が必要となって、生体認証処理をすることになるからである。
【考案を実施するための最良の形態】
【００２５】
以下、本考案を適用した実施形態について説明する。
【００２６】
図１は、ＩＣカードシステムのシステム構成を示す斜視図である。ＩＣカード端末１０は、パーソナルコンピュータ２０の周辺機器としてＵＳＢケーブル１９により接続される。パーソナルコンピュータ２０は、例えば米国マイクロソフト社のウィンドウズＸＰ（「ウィンドウズ」は米国マイクロソフト社の登録商標。）を基本ソフトとして構成されるものであり、無線ＬＡＮモデム２２により外部機器との間でネットワーク接続されてデータベースなどを参照できる。表示画面２１は、パーソナルコンピュータ２０の処理内容を表示する表示装置（ＣＲＴ装置、液晶ディスプレイなど）の表示画面である。表示画面２１にタッチパネルを積層配置して、操作者がタッチする位置情報をパーソナルコンピュータ２０に入力することにより、キーボードを用いずに、パーソナルコンピュータ２０の操作が可能となる。
【００２７】
ＩＣカード端末１０の電源は、ＡＣアダプタ１８により供給される。ＡＣアダプタ１８を電源コンセントにつないで、電源スイッチ１５をＯＮにして、ＵＳＢケーブル１９をパーソナルコンピュータ２０につなぐと、パーソナルコンピュータ２０がＩＣカード端末１０を認識して機能するようになる（ドライバソフトを組み込む必要がある場合には、最初の使い始めの際にインストールして用いる）。
【００２８】
ＩＣカード端末１０の上面には、ＩＣタグリーダ・ライタ１１、指紋認証センサ１２、ＩＣカードリーダ・ライタ１３、ファンクションスイッチ１６、ＬＥＤ１７が設けられる。ＩＣタグリーダ・ライタ１１と、ＩＣカードリーダ・ライタ１３とは、規格が異なり、通信プロトコルも違う。これら二つのリーダ・ライタは、離して設置する。両者それぞれの電波（電磁波）による通信が互いに干渉することを防ぐのみならず、操作をする人、認証を受ける本人がどちらのリーダ・ライタを用いているかを明確に認識するためでもある。
【００２９】
指紋認証センサ１２は、生体認証装置の一例である。手のひらの静脈パターン、虹彩パターン、網膜パターン、声紋、顔の輪郭など、他の生体認証を用いる場合には、他のセンサを設ける。ファンクションスイッチ１６は、生体認証処理、ＩＣカード読み込み処理、ＩＣタグ読み込み処理などの機能を切り替えるために用いるスイッチである。ＬＥＤ１７は、その点灯の仕方（常時点灯、点滅のサイクルの違い）によって、現在使われている機能の種類、その状況を示す。
【００３０】
放熱穴１４は、ＩＣカード端末１０の筐体内部に収納された回路が熱をもたないように、通気するものである。また、内部に設けられたブザーの音を外部に伝える。
【００３１】
図２は、ＩＣカードシステムの回路構成を示すブロック図である。ＩＣタグを含むＩＣカード３０は、ＭＩＦＡＲＥカードとして知られるＩＳＯ１４４４３Ａの規格で読み取りされるＩＣカードと、ｍｙ−ｄタグとして知られるＩＳＯ１５６９３の規格で読み取りされるＩＣタグとをそれぞれ独立して格納しているカードであり、例えばプラスチックの素材にて構成される。ＩＣカードとＩＣタグとが独立しているという意味は、いずれも一つの名刺大のプラスチックカードの中に収納されているが、ＩＣカードリーダ・ライタ１３に近接させて読み書きする際には、ＩＣカードのみが通信を行い、ＩＣタグリーダ・ライタ１１に近接させて読み書きする際には、ＩＣタグのみが通信を行うということである。
【００３２】
ＩＣカード端末１０の内部には、ＭＰＵ（マイクロプロセッサユニット）２９が設けられており、ＩＣカード端末１０の内部の各回路、すなわちＩＣタグリーダ・ライタ１１、指紋認証センサ１２、ＩＣカードリーダ・ライタ１３、ファンクションスイッチ１６、ブザー、ＬＥＤ１７などの信号切替、入出力制御などの処理を実行する。前述したようにＩＣカード端末１０は、パーソナルコンピュータ２０の周辺機器として構成され、ここでは、ＵＳＢ機器として構成されており、ＵＳＢケーブル１９にてパーソナルコンピュータと接続される。なお、ＵＳＢ機器として構成せずに、コンピュータネットワーク機器として構成して、いわゆるＬＡＮにてパーソナルコンピュータ２０に接続するものとしてＩＣカード端末１０を構成する他の実施例も可能である。
【実施例１】
【００３３】
以下、図３及び図４を参照しつつ、実施例１について説明する。図３は、本考案に係るＩＣカードシステムを地域医療連携システムに用いた場合を示す概念図である。本考案に係るＩＣカードシステムは、サービス提供者と需要者との間でマンツーマンで取引されるサービス提供一般に利用可能なものであるが、以下、図３以降においては、医業、とりわけ地域医療連携システムに応用した例を挙げて説明する。
【００３４】
この場合においては、需要者すなわち患者が所持するＩＣカードをＩＣ診察カードと呼び、サービス提供者すなわち医療従事者が所持するＩＣカードを医療従事者ＩＣカードと呼ぶ。煩雑を避けるため、特に区別する必要のないときは単にＩＣカードと呼ぶが、前述したように本考案におけるＩＣカードは、ｍｉｆａｒｅカード（ＩＳＯ１４４４３Ａで読み書きするＩＣカード）と、ｍｙ−ｄタグ（ＩＳＯ１５６９３で読み書きするＩＣタグ）とを、一枚のプラスチックカードに併せ持つものであり、ｍｉｆａｒｅカードの記憶領域には、本人認証に必要なデータ（この例では指紋の画像データから所定の規則により抽出されたデータ）を格納しており、ｍｙ−ｄタグの記憶領域には、カード所持者の保険番号などの個人情報が格納されている。
【００３５】
図３の地域医療連携システムは、○○大学病院と同一地域に所在するＡ病院、Ｂ病院を連携する地域医療連携ＤＢ（データベース）４９が設けてあり、地域医療連携システムの端末４０，４１，４２が専用線を介してデータセキュリティセンターとつながっており、地域内の複数の病院の医療連携を実現するシステムである。それと同時に、ＩＣ診察カード５０が、その地域内のいずれの病院でも用いることができるシステムであるという観点から見ると、ＩＣ診察カードシステムであるといえる。
【００３６】
ＩＣ診察カード５０を所持する患者は、その患者の住む地域内の医療機関であるＡ病院において、医療従事者と対面の上、地域医療連携システムの端末４１を用いて、指紋認証により本人認証を行った上で、ＩＣ診察カード５０に設けられたＩＣタグ内の個人情報にアクセスしてもらい、保険情報などの個人情報を開示して診察を受ける。Ａ病院での所見、診察結果、検査結果などは、病院内のネットワークとは独立した専用線を介してデータセキュリティセンターの地域医療連携データベース４９に格納される。
【００３７】
Ａ病院で診察を受けて治療方針、治療方法などを勧められた患者は、セカンドオピニオンを得たいとＢ病院に行く、とする。Ａ病院と同一の地域医療連携システムに参加しているＢ病院においては、その患者は、Ａ病院で用いたのと同じＩＣ診察カード５０を使って、同様に本人認証を行った上で診察を受けることができる。患者と医療従事者との双方が対面の上で本人認証をしているので、Ｂ病院において、先のＡ病院の検査結果にアクセスして、それについてのセカンドオピニオンを述べることが可能となる。患者は、Ａ病院から、カルテ、レントゲン写真、血液検査結果、ＭＲＴ画像などを借り出して持ち運ぶことが不要である。
【００３８】
Ｂ病院でセカンドオピニオンを得た患者が、さらに大学病院の診断を設けたいと欲する場合には、紹介状を電子的に発行して地域医療ＤＢ４９に保管することができる。紹介状の発行を受けた患者は、○○大学病院に所定の時間に行って、相手の医療従事者と対面の上、ＩＣ診察カード５０を用いて双方の本人認証をした上で、地域医療連携データベース４９にアクセスして、紹介状、カルテ、検査結果などを参照する。このようにして地域医療連携が実現される。
【００３９】
図４は、地域医療連携システムの端末４０の斜視図である。図１に示すＩＣカード端末１０とほぼ同一の構成であるが、図４においては、指紋センサ１２の部分がへこませてあり、患者が指紋認証のために指を入れることをイメージしやすくしてある。図１０と同一の部材については、同一の符号を用いてある。患者が所持するＩＣ診察カード５０と同様なカードを医療従事者も持っている。図４に示す医療従事者ＩＣカード５１がそれである。
【００４０】
病院において、患者と医療従事者（医師）とが、対面の上、まず患者の所持するＩＣ診察カード５０を地域医療連携システムの端末４０のＩＣカードリーダ・ライタ１３に載せて、患者の指を指紋認証センサ１２の上に載せる。端末４０は、ＩＣカードリーダ・ライタ１３により、ＩＣ診察カードのｍｉｆａｒｅカード部分の記憶領域に格納された患者の指紋データ（指紋画像から所定の規則により抽出されたデータ）を読取り、ＵＳＢケーブル１９を介して、ＰＣ側にそのデータを送る。また、端末４０は、指紋認証センサ１２により患者本人の指紋を読取り、その指紋画像から所定の規則により抽出されたデータをＰＣ側に送る。ＰＣ側では、それら二つのデータを照合して、合致するか、不一致かを判定する。ＰＣの操作は医療従事者によってなされる。
【００４１】
ＰＣの操作をする医療従事者の本人認証も、患者の目の前で実行される。すなわち、医療従事者ＩＣカード５１をＩＣカードリーダ・ライタ１３に載せて、医療従事者の指を指紋認証センサ１２に載せて医療従事者の本人認証を実行する。患者、医療従事者の双方ともが本人認証をクリアできた場合にはじめて患者の個人情報、医療情報等が開示される。
【００４２】
開示されるべき患者の個人情報の第一段階のものは、被保険者氏名、被保険者番号、生年月日、性別、資格取得年月日、保険証の有効期限などの情報であり、それらは、ＩＣ診察カード５０に含まれているＩＣタグ内の記憶領域に格納されている。本人認証のクリアできた後に、患者自身の手によりＩＣ診察カード５０をＩＣタグリーダ・ライタ１１に載せかえることで端末４０がその個人情報を読み取ってＰＣ側に送る。
【００４３】
開示されるべき患者の個人情報の第二段階のものは、その病院内のコンピュータシステムに保存されたその患者の電子カルテの内容、過去の検査結果、投薬履歴、通院履歴などであり、第三段階のものは、図３に示す地域医療連携ＤＢ４９に保存された情報である。それらの情報を医療従事者に開示するにあたっては、目の前の患者に暗証番号を入力してもらうなどのセキュリティをかけることができる。その暗証番号の入力のためには、端末４０，４１，４２などに暗証番号入力用のテンキー（数字の入力のためのキーボード）を追加することが望ましい。
【００４４】
図５は、カードの指紋照合による個人認証の概念図である。ＩＣカード保有者であることと、ＩＣカードに格納された指紋データと本人の指紋との照合とが合致することとの二つの事象がともに肯定である場合に個人認証がなされるものである。
【００４５】
図６は、指紋認証の詳細を説明する概念図である。図６に示すように、ＩＣカードに格納された指紋データは、指紋画像そのものではなく、指紋画像から所定の規則により抽出した１６個の数値を羅列したものである。したがって、その数値データから指紋画像を再構成することはできない。指紋認証センサは、指紋を読み取ると、所定の規則に従って、１６個の数値を抽出して指紋読取り結果とする。そして、ＰＣにおいて指紋読取り結果とＩＣ診察カード読取り結果とを照合する。ここにおいて、「所定の規則により抽出する」としたが、この「所定の規則」がどのようなものであるかは、本システムのシステム管理者のみが知ることであり、この規則を秘密として管理するセキュリティの度合いが高ければ高いほど、この指紋認証のセキュリティも高い。
【００４６】
図７は、１３．５６ＭＨｚの周波数を利用した非接触型ＩＣカードの分類を説明する説明図である。図７に示すように、１３．５６ＭＨｚの周波数を利用した非接触型ＩＣカードは、ＩＳＯ１４４４３タイプＡ、ＩＳＯ１４４４３タイプＢ、ＩＳＯ１４４４３タイプＣ（ＦＥＬＩＣＡ）、ＩＳＯ１５６９３と４つに分類される。最初の三つは、人の認証用であり、いずれもプロトコルが異なり、データは暗号化されて書き込まれる。その暗号化の方式は、各システム設計者、システム管理者が秘密として管理している。また、タイプＣは、Ｅｄｙ、Ｓｕｉｃａなどで広汎に使用されているが、フォーマットが変えてあるため、それぞれの互換性はない。本考案で採用したＩＳＯ１４４４３タイプＡは、ｍｉｆａｒｅとして世界中に普及しているものである。
【００４７】
また、ＩＳＯ１５６９３は、ＩＣタグの用途で使用され、物の識別用であり、互換性を要求されるため、タイプＡ，Ｂ，Ｃとは異なる設計思想である。暗号化は前提とされていない。書き込みのフォーマットをシステム設計者が決めて、専用ソフトを使用して初めて書き込んだデータを意味あるものとして表示できるようにシステムを組むことが可能なものである。
【００４８】
図８は、ＩＣ診察カードのＩＣタグの記述フォーマットの一例を示す表である。図８に示すように、ＩＣ診察カードのＩＣタグには、健康保険証の保険者名称、保険者番号、資格取得年月日、性別、生年月日、氏名、番号、記号、交付日、病院コード、ＩＤ番号、ＵＲＬなどをシステム設計者の定めたフォーマットに従って記述してある。
【００４９】
図９は、医薬品のＩＣタグの記述フォーマットの一例を示す表である。図９に示すように、医薬品に貼付するＩＣタグには、医療機関名、消費期限、保管年数、クラス分類、ロット番号、製造年月日、商品コード、品名、製造メーカ名、製造メーカＩＤ、ＵＲＬなどをシステム設計者の定めたフォーマットに従って記述してある。
【産業上の利用可能性】
【００５０】
サービス提供者と需要者との間でマンツーマンで取引されるサービス提供一般に利用可能である。
【図面の簡単な説明】
【００５１】
【図１】ＩＣカードシステムのシステム構成を示す斜視図である。
【図２】ＩＣカードシステムの回路構成を示すブロック図である。
【図３】地域医療連携システムの概念図である。
【図４】地域医療連携システムの端末の斜視図である。
【図５】カードの指紋照合による個人認証の概念図である。
【図６】指紋認証の詳細を説明する概念図である。
【図７】１３．５６ＭＨｚの周波数を利用した非接触型ＩＣカードの分類を説明する説明図である。
【図８】ＩＣ診察カードのＩＣタグの記述フォーマットの一例を示す表である。
【図９】医薬品のＩＣタグの記述フォーマットの一例を示す表である。
【符号の説明】
【００５２】
１０  ＩＣカード端末
１１  ＩＣタグリーダ・ライタ
１２  指紋認証センサ
１３  ＩＣカードリーダ・ライタ
１４  放熱穴
１５  電源スイッチ
１６  ファンクションスイッチ
１７  ＬＥＤ
１８  ＡＣアダプタ
１９  ＵＳＢケーブル
２０  パーソナルコンピュータ
２１  表示画面
２２  無線ＬＡＮモデム
２９  ＭＰＵ（マイクロプロセッサユニット）
３０  ＩＣタグを含むＩＣカード
４０，４１，４２  地域医療連携システムの端末
４９  地域医療連携ＤＢ
５０，５１  ＩＣ診察カード
【図１】
0003143328.tif 000003
【図２】
0003143328.tif 000004
【図３】
0003143328.tif 000005
【図４】
0003143328.tif 000006
【図５】
0003143328.tif 000007
【図６】
0003143328.tif 000008
【図７】
0003143328.tif 000009
【図８】
0003143328.tif 000010
【図９】
0003143328.tif 000011